(57)【要約】【課題】利用者が印刷したい写真を探す労力を費やすことなく、満足のいく写真を印刷することができる技術を提供する。【解決手段】写真サービスシステム１は、撮影装置２、サーバー３、および写真プリント装置６を備える。撮影装置２は、撮影する写真の写真データ１０と、取得する、利用者を特定するための識別情報１１とをサーバー３に送信する。サーバー３は、撮影装置２から送信される写真データ１０および識別情報１１を受信し、当該写真データ１０と当該識別情報１１とを関連付けて記憶する。写真プリント装置６は、取得する識別情報１１をサーバー３に送信する。サーバー３は、写真プリント装置６から送信される識別情報１１を受信し、当該識別情報１１に関連付けられた写真データ１０を写真プリント装置６に送信する。写真プリント装置６は、サーバー３から送信される写真データ１０を受信し、当該写真データ１０に基づく写真３０を印刷する。【選択図】図１
2018195091.tif 000002
【特許請求の範囲】
【請求項１】
撮影装置、サーバー、および写真プリント装置を備え、
前記撮影装置は、
写真を撮影する撮影部と、
利用者を特定するための識別情報を取得する第１識別情報取得部と、
前記撮影部が撮影する写真の写真データと、前記第１識別情報取得部が取得する前記識別情報とを前記サーバーに送信する第１通信部と、を備え、
前記サーバーは、
前記撮影装置から送信される前記写真データおよび前記識別情報を受信する第２通信部と、
前記第２通信部が受信する、前記撮影装置から送信される前記写真データと前記識別情報とを関連付けて記憶する記憶部と、を備え、
前記写真プリント装置は、
前記識別情報を取得する第２識別情報取得部と、
前記第２識別情報取得部が取得する前記識別情報を前記サーバーに送信する第３通信部と、
写真を印刷する印刷部と、を備え、
前記サーバーの前記第２通信部は、前記写真プリント装置から送信される前記識別情報を受信し、受信した前記識別情報に関連付けられた前記写真データを前記写真プリント装置に送信し、
前記写真プリント装置の前記第３通信部は、前記サーバーから送信される前記写真データを受信し、
前記写真プリント装置の前記印刷部は、前記写真プリント装置の前記第３通信部が受信する、前記サーバーから送信される前記写真データに基づく写真を印刷する、写真サービスシステム。
【請求項２】
請求項１に記載の写真サービスシステムであって、
端末をさらに備え、
前記識別情報は前記端末が有する固有情報である、写真サービスシステム。
【請求項３】
請求項２に記載の写真サービスシステムであって、
前記端末は、前記撮影装置と通信を行う第４通信部を備え、前記第４通信部が行う前記通信によって、前記撮影装置の前記撮影部を制御する、写真サービスシステム。
【請求項４】
請求項３に記載の写真サービスシステムであって、
前記端末は、各種情報を表示する表示部をさらに備え、
前記端末の前記第４通信部は前記写真データを受信し、
前記端末の前記表示部は、前記第４通信部が受信する前記写真データを表示する、写真サービスシステム。
【請求項５】
請求項３に記載の写真サービスシステムであって、
前記端末は、各種情報を表示する表示部をさらに備え、
前記端末の前記第４通信部は、前記撮影装置の設置場所を示す情報を受信し、
前記端末の前記表示部は、前記第４通信部が受信する前記情報を表示する、写真サービスシステム。
【請求項６】
請求項１から請求項５のいずれか一項に記載の写真サービスシステムが備える写真プリント装置。
【発明の詳細な説明】
【技術分野】
【０００１】
本発明は、写真を撮影してその写真を印刷する写真サービスシステムおよび写真プリント装置に関する。
【背景技術】
【０００２】
従来の写真サービスシステムにおいては、利用者が旅行先等で撮影した写真の写真データをインターネット経由で写真店に送信し、所望の写真店で写真を印刷できるように、写真を印刷する写真店と、写真印刷の注文を受け付けるサービスセンターとがインターネットを介して接続されている。利用者が、携帯電話を用いて観光地先等で撮影した写真の写真データをサービスセンターに送信すると、当該携帯電話に近くの写真店の情報が送信され、利用者は所望の写真店で写真を印刷することができる（例えば、特許文献１を参照）。
【先行技術文献】
【特許文献】
【０００３】
【特許文献１】特開２００２−１８３２８０号公報
【発明の概要】
【発明が解決しようとする課題】
【０００４】
しかしながら、従来の写真サービスシステムでは、利用者は、インターネットを経由して写真を印刷するために、自身のデジタルカメラまたはスマートフォンなどの写真を撮影したデバイスにおいて、所望の写真を探す必要がある。また、利用者は、旅行先等で自身を離れた場所から撮影する場合には、カメラを固定する三脚を用いたり、他人にカメラを渡して撮影をしてもらったりする必要がある。このため、せっかく撮影した写真であっても利用者の満足いくものではなく、写真を印刷するモチベーションが下がることがある。加えて、利用者が持参したカメラの性能が低いことにより、印刷した写真に対する満足度が低くなることがある。
【０００５】
そこで、本発明は、上記のような事情を考慮してなされたものであって、利用者は旅行先等で撮影した写真を最寄りのコンビニエンスストアまたは写真店などで高品質な写真に印刷することができ、かつ、利用者はスマートフォンなどの自身のデバイスで印刷したい写真を探す労力を費やすことなく、利用者にとって満足のいく写真を印刷することができる、写真サービスシステムおよび写真プリント装置を提供することを目的とする。
【課題を解決するための手段】
【０００６】
本発明に係る写真サービスシステムは、撮影装置、サーバー、および写真プリント装置を備える。撮影装置は、写真を撮影する撮影部と、利用者を特定するための識別情報を取得する第１識別情報取得部と、撮影部が撮影する写真の写真データと、第１識別情報取得部が取得する識別情報とをサーバーに送信する第１通信部とを備える。サーバーは、撮影装置から送信される写真データおよび識別情報を受信する第２通信部と、第２通信部が受信する、撮影装置から送信される写真データと識別情報とを関連付けて記憶する記憶部とを備える。写真プリント装置は、識別情報を取得する第２識別情報取得部と、第２識別情報取得部が取得する識別情報をサーバーに送信する第３通信部と、写真を印刷する印刷部とを備える。サーバーの第２通信部は、写真プリント装置から送信される識別情報を受信し、受信した識別情報に関連付けられた写真データを写真プリント装置に送信する。写真プリント装置の第３通信部は、サーバーから送信される写真データを受信する。写真プリント装置の印刷部は、写真プリント装置の第３通信部が受信する、サーバーから送信される写真データに基づく写真を印刷する。
【発明の効果】
【０００７】
本発明によれば、利用者は撮影装置で撮影した写真を、写真プリント装置で高品質な写真に印刷することができ、かつ、利用者は印刷したい写真を探す労力を費やすことなく、満足のいく写真をプリントすることができる。
【図面の簡単な説明】
【０００８】
【図１】本発明の実施の形態１に係る写真サービスシステムのサービスを説明するための図である。
【図２】本発明の実施の形態１に係る写真サービスシステムの構成を示すブロック図である。
【図３】本発明の実施の形態１に係る端末の構成を示すブロック図である。
【図４】本発明の実施の形態１に係る撮影装置の構成を示すブロック図である。
【図５】本発明の実施の形態１に係るサーバーの構成を示すブロック図である。
【図６】本発明の実施の形態１に係る写真プリント装置の構成を示すブロック図である。
【図７】本発明の実施の形態１に係る撮影装置が写真を撮影する際の動作を示すフローチャートである。
【図８】本発明の実施の形態１に係る端末が表示する画面を示す図である。
【図９】本発明の実施の形態１に係る端末が表示する画面を示す図である。
【図１０】本発明の実施の形態１に係る写真プリント装置が写真を印刷する際の動作を示すフローチャートである。
【発明を実施するための形態】
【０００９】
以下、図面を用いて本発明の実施の形態について説明する。
【００１０】
＜実施の形態１＞
＜写真サービスシステムのサービス＞
図１は、本発明の実施の形態１に係る写真サービスシステム１のサービスを説明するための図である。図１に示されるように、写真サービスシステム１は、端末２０、撮影装置２、サーバー３、および写真プリント装置６を備える。
【００１１】
撮影装置２、サーバー３、および写真プリント装置６は、ネットワーク８を介して接続されている。ネットワーク８は、例えばインターネットによって構築されている。撮影装置２、サーバー３、および写真プリント装置６のそれぞれがネットワーク８に接続する方法は、有線または無線に限定するものではなく、使用状況に応じてどちらを使用しても良い。
【００１２】
撮影装置２は、例えば観光地などの撮影スポットに設置される、観光客などの写真サービスシステム１を利用する不特定多数の利用者が利用可能な撮影装置である。以下では、利用者９が写真サービスシステム１を利用する場合について説明する。利用者９は、撮影装置２が設置されている撮影スポットを訪れた際に、撮影装置２を用いて自身を含む写真などを撮影することができる。利用者９が撮影装置２を用いて撮影した写真の写真データ１０は、撮影装置２からサーバー３に送信され、サーバー３に記憶される。利用者９は、撮影装置２を用いて写真を撮影したあと、コンビニエンスストアまたは写真店などに設置されている写真プリント装置６を用いて、サーバー３に記憶された、自身が撮影装置２を用いて撮影した写真の写真データ１０を写真３０として印刷することができる。
【００１３】
なお、本実施の形態では、利用者９は、自身の端末２０を用いて、撮影装置２に対して写真サービスシステム１の利用開始の通知を送信することによって、写真サービスシステム１を利用することができる。端末２０は、例えば、利用者９が普段利用しているスマートフォンまたは通信機能を有する腕時計などであり、通信機能を有するものであればこの限りではない。撮影装置２は、自身のネットワーク、例えばＷｉ−Ｆｉなどの近距離小電力無線通信のアクセスポイントを有しており、利用者９の端末２０と通信を行い写真の撮影を行う。すなわち、利用者９の端末２０は、撮影装置２の動作を制御するコントローラーとして機能する。
【００１４】
なお、写真サービスシステム１においては、利用者９が、写真プリント装置６を用いて、サーバー３に記憶された、自身が撮影装置２を用いて撮影した写真の写真データ１０を写真３０として印刷する際には、利用者９を特定するための識別情報１１が用いられる。識別情報１１については、あとで詳細に説明する。
【００１５】
＜写真サービスシステムの構成＞
図２は、本発明の実施の形態１に係る写真サービスシステム１の構成の一例を示すブロック図である。図２の例では、写真サービスシステム１は、端末２０、サーバー３、撮影装置２として、有人撮影装置２ａ、無人固定撮影装置２ｂ、無人可動撮影装置２ｃ、および飛行体撮影装置２ｄ、ならびに写真プリント装置６として、写真プリント装置６ａ，６ｂを備える。
【００１６】
有人撮影装置２ａは、撮影スポットにいるカメラマンが有する撮影装置であって、カメラマンの操作によって、例えば、景勝地を背景に利用者９の写真を撮影する。無人固定撮影装置２ｂは、撮影スポットに固定設置されている撮影装置であって、例えば、背景写真パネルあるいは顔出しパネル等とともに利用者９の写真を撮影する。無人可動撮影装置２ｃは、可動台などによって可動可能に撮影スポットに設置されている撮影装置であって、例えば、遊園地の乗り物に乗っている利用者９の写真を撮影する。飛行体撮影装置２ｄは、ドローンなどの、近距離無線によって制御される小型飛行体に搭載されている撮影装置であって、空撮を行う。
【００１７】
つまり、写真サービスシステム１では、利用者９は、撮影スポットにおいて自身が携帯する撮影装置を使用せずに、写真を撮影することができる。また、複数種類の撮影装置２によって写真を撮影することができるので、従来の写真撮影方法、例えば、利用者９が携帯する撮影装置を用いて撮影する場合と比較して、撮影できる写真の自由度は高くなる。また、飛行体撮影装置２ｄを用いた空からの撮影など、利用者９が撮影できる写真の楽しみが広がる。
【００１８】
写真プリント装置６ａは、例えば、写真店に設置されている写真プリント装置である。写真プリント装置６ｂは、例えばコンビニエンスストアに設置されている写真プリント装置である。
【００１９】
なお、写真サービスシステム１における撮影装置２の数、種類および設置場所、ならびに写真プリント装置６の数および設置場所は上記の限りではない。
【００２０】
次に、写真サービスシステム１が備える端末２０、撮影装置２、サーバー３、および写真プリント装置６それぞれの構成について説明する。
【００２１】
＜端末の構成＞
図３は、本発明の実施の形態１に係る端末２０の構成の一例を示すブロック図である。図３に示されるように、端末２０は、メモリ３２、制御部３３、通信部３４、表示部３５、操作部３６、および入出力部３７を備える。
【００２２】
メモリ３２は、揮発性メモリ（例えば、ＲＡＭ）および不揮発性メモリ（例えば、フラッシュメモリ）より構成され、端末２０の各構成要素を制御するための制御プログラム、設定値などを記憶する。また、メモリ３２は、端末２０の各構成要素が各種処理を行う際のデータを一時的に記憶する。制御部３３は、ＣＰＵなどを有し、メモリ３２に記憶された制御プログラムを実行することによって、端末２０の各構成要素の制御、情報処理などを行う。
【００２３】
通信部３４は、撮影装置２との通信を行う。操作部３６は、例えば、タッチパネルあるいはプッシュＳＷなどからなり、利用者９は、操作部３６を操作することによって、端末２０の動作を制御することができる。表示部３５は、例えば、液晶パネルディスプレイであって、利用者９が操作部３６を操作する際の操作画面などを表示する。入出力部３７は、利用者９の識別情報１１、画像データ、センサ信号、制御信号あるいは音声信号などのデータの読み込みあるいは出力を行う。
【００２４】
＜撮影装置の構成＞
図４は、本発明の実施の形態１に係る撮影装置２の構成の一例を示すブロック図である。図４に示されるように、撮影装置２は、撮影部２１、メモリ２２、制御部２３、通信部２４、表示部２５、操作部２６、入出力部２７、および付加機能部２８を備える。
【００２５】
メモリ２２は、揮発性メモリ（例えば、ＲＡＭ）および不揮発性メモリ（例えば、フラッシュメモリ）より構成され、撮影装置２の各構成要素を制御するための制御プログラム、設定値などを記憶する。また、メモリ２２は、撮影装置２の各構成要素が各種処理を行う際のデータを一時的に記憶する。制御部２３は、ＣＰＵなどを有し、メモリ２２に記憶された制御プログラムを実行することによって、撮影装置２の各構成要素の制御、情報処理などを行う。
【００２６】
撮影部２１は、写真を撮影する。通信部２４は、端末２０との通信を行う。また、通信部２４は、ネットワーク８を介したサーバー３との通信を行う。
【００２７】
操作部２６は、例えば、タッチパネルあるいはプッシュＳＷなどからなり、撮影装置２の利用者は、操作部２６を操作することによって、撮影装置２の動作を制御することができる。表示部２５は、例えば、液晶パネルディスプレイであって、撮影部２１が撮影する写真の写真データ、撮影装置２の利用者が操作部２６を操作する際の操作画面などを表示する。入出力部２７は、利用者９の識別情報１１、画像データ、センサ信号、制御信号あるいは音声信号などのデータの読み込みあるいは出力を行う。
【００２８】
付加機能部２８は、撮影装置２特有の機能を実現する。例えば、撮影装置２が飛行体撮影装置２ｄである場合には、付加機能部２８は、飛行体撮影装置２ｄの飛行機能を実現するための飛行装置、および近距離無線通信による飛行制御を実現するための近距離無線通信装置などを有する。
【００２９】
＜サーバーの構成＞
図５は、本発明の実施の形態１に係るサーバー３の構成の一例を示すブロック図である。図５に示されるように、サーバー３は、通信部５、記憶部４、メモリ１２、および制御部１３を備える。
【００３０】
通信部５は、ネットワーク８を介した撮影装置２および写真プリント装置６それぞれとの通信を行う。記憶部４は、例えば磁気ディスクなどの記憶装置を有しており、撮影装置２から送信されて通信部５が受信する、写真データ１０と利用者９の識別情報１１とを関連付けて記憶する。通信部５は、写真プリント装置６から送信される利用者９の識別情報１１を受信し、記憶部４によって読み出される、当該識別情報１１に関連付けられた写真データ１０を送信する。
【００３１】
メモリ１２は、揮発性メモリ（例えば、ＲＡＭ）および不揮発性メモリ（例えば、フラッシュメモリ）より構成され、サーバー３の各構成要素を制御するための制御プログラム、設定値などを記憶する。また、メモリ１２は、サーバー３の各構成要素が各種処理を行う際のデータを一時的に記憶する。制御部１３は、ＣＰＵなどを有し、メモリ１２に記憶された制御プログラムを実行することによって、サーバー３の各構成要素の制御、情報処理などを行う。
【００３２】
＜写真プリント装置の構成＞
図６は、本発明の実施の形態１に係る写真プリント装置６の構成の一例を示すブロック図である。図６に示されるように、写真プリント装置６は、印刷部７、メモリ６４、制御部６５、通信部６６、表示部６１、操作部６２、入出力部６３、および課金部６７を備える。
【００３３】
メモリ６４は、揮発性メモリ（例えば、ＲＡＭ）および不揮発性メモリ（例えば、フラッシュメモリ）より構成され、写真プリント装置６の各構成要素を制御するための制御プログラム、設定値などを記憶する。また、メモリ６４は、写真プリント装置６の各構成要素が各種処理を行う際のデータを一時的に記憶する。制御部６５は、ＣＰＵなどを有し、メモリ６４に記憶された制御プログラムを実行することによって、写真プリント装置６の各構成要素の制御、情報処理などを行う。
【００３４】
印刷部７は、例えば、熱転写型プリンターなどからなり、写真３０を印刷する。通信部６６は、ネットワーク８を介したサーバー３との通信を行う。課金部６７は、利用者９が写真プリント装置６を用いて写真３０を印刷する際の料金の精算処理などを行う。
【００３５】
操作部６２は、例えば、タッチパネルあるいはプッシュＳＷなどからなり、利用者９は、操作部６２を操作することによって、写真プリント装置６の動作を制御することができる。表示部６１は、例えば、液晶パネルディスプレイであって、印刷する写真３０の写真データ１０、利用者９が操作部６２を操作する際の操作画面などを表示する。入出力部６３は、利用者９の識別情報１１、画像データ、センサ信号、制御信号あるいは音声信号などのデータの読み込みあるいは出力を行う。
【００３６】
次に、写真サービスシステム１が備える端末２０、撮影装置２、サーバー３、および写真プリント装置６それぞれの動作について説明する。
【００３７】
＜撮影装置が写真を撮影する際の動作＞
まず、写真サービスシステム１において利用者９が撮影装置２を用いて写真を撮影する際の、端末２０および撮影装置２の動作について説明する。図７は、本発明の実施の形態１に係る撮影装置２が写真を撮影する際の動作を示すフローチャートである。
【００３８】
なお、以下で説明する端末２０の動作は、利用者９が端末２０を用いて写真サービスシステム１を利用するための専用のアプリケーション(以下、「専用アプリ」と呼ぶ)が端末２０のメモリ３２に記憶されており、端末２０の制御部３３が専用アプリを実行することによって実現される。端末２０は専用アプリを実行することによって、後述する、撮影装置２が設置されている場所の利用者９への通知、あるいは利用者９の識別情報１１としての端末２０の固有情報の取得などの処理を行う。専用アプリによって、操作性の向上など利用者９の利便性を高めることができる。
【００３９】
図７に示されるように、まず、利用者９が撮影装置２の撮影可能エリア内あるいは撮影可能エリア付近にいる場合に、撮影装置２は、利用者９が撮影装置２の撮影可能エリア内あるいは撮影可能エリア付近にいることを示す撮影可能エリアの通知を端末２０に送信する（ステップＳ１）。端末２０は、撮影装置２から送信される撮影可能エリアの通知を受信する（ステップＳ２）。
【００４０】
そして、端末２０は、利用者９に、撮影装置２の撮影可能エリア内あるいは撮影可能エリア付近であることを通知する（ステップＳ３）。ここで、本実施の形態のように、端末２０が画像あるいは文字などの各種情報を表示するための表示部３５を備える場合には、表示部３５は、撮影装置２からの通知の内容（例えば、撮影可能エリアの名称、撮影可能エリアで撮影できる写真のイメージなど）を表示する。
【００４１】
利用者９は、撮影装置２からの通知を確認した後、所望の写真サービスシステム１の利用を開始する旨の通知を、端末２０を用いて撮影装置２に送信する（ステップＳ４）。撮影装置２が端末２０からの写真サービスシステム１の利用開始の通知を受信すると（ステップＳ５）、撮影装置２と端末２０との通信が確立される（ステップＳ６，Ｓ７）。
【００４２】
ここで、ステップＳ６，Ｓ７において、撮影装置２と端末２０との通信が確立されると、撮影装置２は、利用者９を特定するための識別情報１１を取得する。識別情報１１は、例えば、端末２０のメモリ３２に記憶される端末２０の固有情報であって、端末２０から送信されて撮影装置２の通信部２４が受信する。撮影装置２の通信部２４は、利用者９の識別情報１１を取得する識別情報取得部として機能する。また、利用者９は、撮影装置２の操作部２６を操作することによって識別情報１１を撮影装置２に入力してもよい、あるいは入出力部２７より識別情報１１を入力してもよい。このような場合、撮影装置２の操作部２６あるいは入出力部２７は、利用者９の識別情報１１を取得する識別情報取得部として機能する。
【００４３】
端末２０は、撮影装置２との通信を確立した後、利用者９が操作部３６によって所定の操作を行った場合、例えば、利用者９が表示部３５に表示される撮影ボタンを操作した場合に、撮影装置２に撮影の通知を送信する（ステップＳ８）。撮影装置２は、端末２０からの撮影の通知を受信し、写真を撮影する（ステップＳ９）。
【００４４】
撮影装置２は、撮影した写真の写真データ１０と取得した利用者９の識別情報１１とを、ネットワーク８を介してサーバー３に送信する。そして、サーバー３は、撮影装置２から送信される利用者９の識別情報１１と写真データ１０とを関連付けて記憶部４に記憶する（ステップＳ１０）。
【００４５】
撮影装置２は、写真データ１０および識別情報１１をサーバー３へ送信した後、端末２０に利用終了の通知を送信する（ステップＳ１１）。端末２０は、撮影装置２から送信される利用終了の通知を受信し、撮影装置２の利用を終了する（ステップＳ１２）。
【００４６】
なお、本実施の形態のように、利用者９の端末２０が表示部３５を有する場合には、利用者９が撮影装置２を用いて写真を撮影する際に、撮影装置２が撮影状況（例えば、撮影部２１に対する利用者９の体の向きおよび立ち位置など）を端末２０に送信し、端末２０の表示部３５が撮影状況を表示しても良い。また、撮影装置２は、写真を撮影した後、写真データ１０をサーバー３に送信する前に、写真データ１０を端末２０に送信し、端末２０の表示部３５が写真データ１０を表示することによって、利用者９が写真データ１０を確認する手順を設けても良い。
【００４７】
ところで、本実施の形態のように利用者９の端末２０が表示部３５を備えていない場合には、図７に示されるステップＳ３における利用者９への通知を、入出力部３７から音、光などを出力することによって、あるいは端末２０が振動することによって行ってもよい。
【００４８】
具体的には、端末２０は、音で通知する場合には、利用者９が撮影装置２の撮影可能エリアに入ったことを入出力部３７から出力するアラーム、あるいは「撮影ポイントに入りました」などの音声で通知し、利用者９が撮影装置２の撮影可能エリアに近づくにつれてアラームの音の間隔を短くもしくは長く、またはアラームの音量を大きくもしくは小さくするなどの変化を持たせることによって利用者９に通知する。
【００４９】
また、端末２０は、端末２０の振動で通知する場合には、利用者９が撮影可能エリアに近づくにつれて振動の間隔を短くしたり、振動を長くしたりして利用者９に通知する。また、端末２０は、光で通知する場合には、利用者９が撮影可能エリアに近づくにつれて、入出力部３７から出力する光の点滅の間隔を変化させたり、光の色を変化させたりするなどして利用者９に通知する。
【００５０】
なお、利用者９へ撮影可能エリアを通知する方法はこの限りではなく、それぞれの通知方法を組み合わせて利用者９に通知しても良い。
【００５１】
また、図７に示されるステップＳ８において、利用者９が行う操作部３６への操作に基づいて、端末２０が撮影装置２に向けて撮影の通知を送信することによって、利用者９が所望のタイミングで撮影することが可能であったが、撮影装置２が利用者９に写真を撮影するタイミングを通知してもよい。
【００５２】
具体的には、撮影装置２は利用者９の顔を認識する機能を有しており、利用者９の顔を認識した後に、入出力部２７から出力するアラーム、「写真を撮影します」の音声、もしくは「３、２、１」などのカウントダウンの音声などの音、または入出力部２７から出力する光によって通知してもよい。あるいは、このような音、光を端末２０の入出力部３７から出力させることによって通知してもよいし、端末２０を振動させることによって通知してもよい。なお、撮影装置２が有人撮影装置２ａの場合には、カメラマンの掛け声にて写真撮影のタイミングを利用者９に通知してもよい。
【００５３】
また、写真サービスシステム１においては、利用者９は自身の端末２０を用いて、撮影装置２の場所を検索することができる。撮影装置２の場所の検索には、専用アプリまたは、専用のＷＥＢサイトを利用することができる。
【００５４】
図８は、本発明の実施の形態１に係る端末２０が表示する画面５０の一例を示す図である。画面５０は、表示部３５が表示する画面であって、撮影装置２の設置場所を示している。図８の例では、画面５０には、端末２０の現在位置を示す図形５４と、３つの撮影装置２が設置されている位置をそれぞれ示す図形５１〜５３が表示されている。
【００５５】
なお、端末２０は、撮影装置２の設置場所を表示するとともに、撮影装置２の情報を表示してもよい。図９は、本発明の実施の形態１に係る端末２０が表示する画面６０の一例を示す図である。画面６０は、表示部３５が表示する画面であって、撮影装置２の情報を示している。図９の例では、画面６０には、３つの撮影装置２それぞれの情報（例えば、ランキング、撮影エリアの名称、現在位置からの距離、利用者の評価結果などを示す情報）６１〜６３が表示されている。
【００５６】
撮影装置２が、有人撮影装置２ａや飛行体撮影装置２ｄなどの予め撮影場所が決まっていない撮影装置である場合には、撮影装置２は固定されている訳ではなく、移動している場合もあるが、利用者９は、撮影装置２の場所の検索を行うことにより、撮影装置２に近づいていくことができる。
【００５７】
なお、撮影装置２がサーバー３に送信する識別情報１１には、撮影装置２の固有情報が含まれていても良い。これにより、利用者９は、写真プリント装置６で印刷する写真データ１０を選ぶ際に、撮影装置２の固有情報を利用することによって、当該撮影装置２で撮影された写真データ１０を容易に選ぶことがすることができる。
【００５８】
＜写真プリント装置が写真を印刷する際の動作＞
次に、写真サービスシステム１において利用者９が写真プリント装置６を用いて写真を印刷する際の、写真プリント装置６およびサーバー３の動作について説明する。図１０は、本発明の実施の形態１に係る写真プリント装置６が写真を印刷する際の動作を示すフローチャートである。
【００５９】
図１０に示されるように、まず、写真プリント装置６は、利用者９の識別情報１１を取得する（ステップＰ１）。写真プリント装置６が、利用者９の識別情報１１を取得する方法としては、例えば、利用者９が、写真プリント装置６の表示部６１に表示される操作画面を見ながら、操作部６２を用いて識別情報１１を入力する方法がある。あるいは、利用者９の端末２０の入出力部３７と、写真プリント装置６の入出力部６３とが近距離小電力無線通信を行い、写真プリント装置６の入出力部６３が端末２０のメモリ３２に記憶されている識別情報１１を読み込む方法がある。さらには、利用者９の端末２０の表示部３５に表示される識別情報１１を、写真プリント装置６の入出力部６３が備える読み取り装置が読み取る方法などがある。写真プリント装置６の操作部６２あるいは入出力部６３は、利用者９の識別情報１１を取得する識別情報取得部として機能する。
【００６０】
写真プリント装置６は、識別情報１１を取得した後、ネットワーク８を介してサーバー３と通信を行い、識別情報１１をサーバー３に送信する（ステップＰ２）。サーバー３は、写真プリント装置６から送信された識別情報１１を受信する（ステップＰ３）。
【００６１】
そして、サーバー３は、写真プリント装置６から送信された識別情報１１に関連付けられた写真データ１０が記憶部４にある場合には、該当する写真データ１０を記憶部４より読み出す（ステップＰ４）。
【００６２】
その後、サーバー３は、ネットワーク８を介して写真プリント装置６と通信を行い、ステップＰ４で読みだした写真データ１０を写真プリント装置６に送信する（ステップＰ５）。
【００６３】
ところで、ステップＰ１において、写真プリント装置６が利用者９の識別情報１１を取得した後、ステップＰ７において、写真プリント装置６がサーバー３から写真データ１０を受信するまでの間、利用者９は写真プリント装置６の前で待機することになる。そこで、その待ち時間を利用して、写真プリント装置６は、表示部６１に現在の処理状況、あるいは、付近の撮影装置２の位置を表示してもよい（ステップＰ６）。
【００６４】
写真プリント装置６は、サーバー３から送信される写真データ１０を受信すると（ステップＰ７）、受信した写真データ１０、つまり利用者９の写真データ１０を表示部６１に表示する（ステップＰ８）。そして、利用者９が表示部６１に表示される写真データ１０から印刷したい写真データ１０を選択すると、写真プリント装置６は、印刷する写真データ１０を決定する（ステップＰ９）。
【００６５】
写真プリント装置６は、課金部６７によって利用料金の精算処理を行った後、印刷部７によって、ステップＰ９で決定した写真データ１０に基づいて写真３０を印刷する（ステップＰ１０）。
【００６６】
なお、写真プリント装置６は、印刷部７が写真３０を印刷している間にも、表示部６１に現在の処理状況、あるいは、付近の撮影装置２の位置を表示してもよい。
【００６７】
以上のように、写真サービスシステム１においては、利用者９は観光地などの撮影スポットにて、自身が携帯する撮影装置ではなく、撮影装置２を用いて写真を撮影することができることから、高解像度の重いカメラを携帯する必要が無い。また、撮影装置２および写真プリント装置６が取得する識別情報１１によって印刷する写真データ１０が選ばれることから、自身のデバイスで印刷したい写真を探す労力を費やすことなく、手軽に写真を撮影して印刷することができる。
【００６８】
また、自身が携帯する撮影装置で撮影する場合と比較して、第三者に撮影装置を渡して撮影してもらうことが不要となり、しかも、自身と背景との構図の自由度が高く、さらに、団体での記念撮影においても品位の良い、満足のいく写真を撮影し、印刷することができる。
【００６９】
なお、本発明は、その発明の範囲において、実施の形態を適宜、変形、省略することが可能である。
【符号の説明】
【００７０】
１  写真サービスシステム、２  撮影装置、３  サーバー、４  記憶部、５，２４，３４，６６  通信部、６  写真プリント装置、７  印刷部、８  ネットワーク、９  利用者、１０  写真データ、１１  識別情報、１２，２２，３２，６４  メモリ、１３，２３，３３，６５  制御部、２０  端末、２１  撮影部、２５，３５，６１  表示部、２６，３６，６２  操作部、２７，３７，６３  入出力部、２８  付加機能部、３０  写真、６７  課金部。
【図１】
2018195091.tif 000003
【図２】
2018195091.tif 000004
【図３】
2018195091.tif 000005
【図４】
2018195091.tif 000006
【図５】
2018195091.tif 000007
【図６】
2018195091.tif 000008
【図７】
2018195091.tif 000009
【図８】
2018195091.tif 000010
【図９】
2018195091.tif 000011
【図１０】
2018195091.tif 000012